(57)【特許請求の範囲】
【請求項１】
公衆交換電話網を経由して他の電話機との間で音声信号を送受信する音声通信手段と、ネットワークを経由して他のネットワーク端末との間でネットワーク通話のデータ信号を送受信するデータ通信手段と、前記データ通信手段を用いてインスタントメッセージのデータ信号を送受信するインスタントメッセージ機能と、を備える情報通信端末において、
前記データ通信手段による前記ネットワーク通話のデータ信号の送受信を実行している状態において、前記音声通信手段に前記音声信号の着信がある場合に、前記データ通信手段に対して前記ネットワーク通話のデータ信号の送受信を停止させると共に、前記音声通信手段に前記音声信号の送受信を開始させる切替動作を行う切替手段と、
前記切替手段が前記切替動作を行ったときに、前記ネットワーク通話のデータ信号の送信先に前記インスタントメッセージ機能により前記インスタントメッセージのデータ信号を送信するメッセージ送信手段と、を備える
ことを特徴とする情報通信端末。
【請求項２】
送信指令を受け付ける送信指令受付手段を備え、
前記メッセージ送信手段は、前記送信指令受付手段により前記送信指令を受け付けている場合には、前記切替手段が前記切替動作を行ったときに、前記インスタントメッセージのデータ信号を前記ネットワーク通話のデータ信号の送信先に送信する
ことを特徴とする請求項１に記載の情報通信端末。
【請求項３】
公衆交換電話網を経由して他の電話機との間で音声信号を送受信する音声通信手段と、ネットワークを経由して他のネットワーク端末との間でネットワーク通話のデータ信号を送受信するデータ通信手段と、前記データ通信手段を用いてインスタントメッセージのデータ信号を送受信するインスタントメッセージ機能と、を備える情報通信端末において、
前記ネットワーク通話のデータ信号の送受信を行う相手先情報を複数記憶可能な記憶装置と、
前記音声通信手段による前記音声信号の送受信を実行している状態において、前記データ通信手段に前記ネットワーク通話のデータ信号の着信があったときに、当該着信の前記相手先情報を、前記記憶装置に記憶される相手先情報と照合する照合手段と、
前記音声通信手段による前記音声信号の送受信を実行している状態において、前記データ通信手段に前記ネットワーク通話のデータ信号の着信があったときに、前記照合手段による照合の結果に応じて、前記ネットワーク通話のデータ信号の送信先に前記インスタントメッセージ機能により前記インスタントメッセージのデータ信号を送信するメッセージ送信手段と、を備える
ことを特徴とする情報通信端末。
【請求項４】
送信指令を受け付ける送信指令受付手段を備え、
前記メッセージ送信手段は、前記送信指令受付手段により前記送信指令を受け付けている場合には、前記音声通信手段による前記音声信号の送受信を実行している状態において、前記データ通信手段に前記ネットワーク通話のデータ信号の着信があったときに、前記インスタントメッセージのデータ信号を前記ネットワーク通話のデータ信号の送信先に送信する
ことを特徴とする請求項３に記載の情報通信端末。
【請求項５】
前記情報通信端末は、親機および子機からなり、
前記親機は、
メッセージ情報の入力を受け付ける入力手段と、
前記入力手段により入力された前記メッセージ情報を前記子機に送信する親機側送信手段とを備え、
前記子機は、
前記親機側送信手段により送信された前記メッセージ情報を受信する子機側受信手段と、
前記子機側受信手段により受信した前記メッセージ情報を、前記インスタントメッセージのデータ信号に変換するメッセージ変換手段と、
前記音声通信手段と、前記メッセージ変換手段により変換された前記インスタントメッセージのデータ信号を送受信する前記データ通信手段と、前記メッセージ送信手段と、
を備える
ことを特徴とする請求項１から請求項４のいずれかに記載の情報通信端末。
【請求項６】
前記子機は、前記データ通信手段により受信した前記インスタントメッセージのデータ信号を、親機送信情報に変換するデータ信号変換手段と、前記データ信号変換手段により変換された前記親機送信情報を前記親機に送信する子機側送信手段と、を備え、
前記親機は、前記子機側送信手段により送信された前記親機送信情報を表示する表示手段を備える
ことを特徴とする請求項５に記載の情報通信端末。
【請求項７】
前記表示手段は、前記入力手段により入力された前記メッセージ情報を表示する
ことを特徴とする請求項６に記載の情報通信端末。
【請求項８】
前記音声通信手段は、デジタルコードレス通信を経由して前記他の電話機との前記音声信号の送受信を実現し、
前記データ通信手段は、無線ＬＡＮを経由して前記他のネットワーク端末との前記データ信号の送受信を実現する
ことを特徴とする請求項１から請求項７のいずれかに記載の情報通信端末。
【発明の詳細な説明】
【技術分野】
【０００１】
本発明は、公衆交換電話網を経由して他の電話機との間で音声信号を送受信する音声通信手段と、ネットワークを経由して他のネットワーク端末との間でネットワーク通話のデータ信号を送受信するデータ通信手段と、インスタントメッセージ機能と、を備える情報通信端末に関する。
【背景技術】
【０００２】
近年、インターネットによるデジタル通信網の拡充、および、インターネット利用料金の低下により、インターネットを介したデータ通信による電話通信であるネットワーク通話（いわゆるＩＰ電話やインターネット電話）が普及しつつある。
【０００３】
しかし、ネットワーク通話は、従来の公衆交換電話網（以降「ＰＳＴＮ」という）にて通信可能な相手先の範囲をカバーできていないことや、停電時には通信不能になるという問題がある。そのため、ＰＳＴＮとネットワーク通話の何れの通信も可能に構成された電話機端末が使用されることがある。
【０００４】
このように構成された電話機端末では、利用者は自らの選択により使用する回線を選択して使い分けることができるようになる。さらに、２つの回線を効率よく選択する技術として、ＰＳＴＮによる着信時に、相手先電話番号に対応するネットワーク通話の電話番号（ＶｏＩＰ電話番号）を取得し、通信回線をネットワーク通話（ＶｏＩＰ電話通信）に切り替える技術が提案されている（特許文献１参照）。このような技術であれば、ＰＳＴＮよりもネットワーク通話を用いると都合が良いときに、速やかにネットワーク通話に切り替えることができる。
【特許文献１】特開２００６−８０９９７号公報
【発明の開示】
【発明が解決しようとする課題】
【０００５】
しかしながら、従来の技術では、ＰＳＴＮ通話およびネットワーク通話のうち、いずれか一方を利用して通話を行っているときに、他方を利用して着信があった場合、両方の相手先と同時に通話を行うことはできないので、いずれかの通信の相手先とは即座に通信を開始することができないという問題があった。
【０００６】
本発明は、上述した問題に鑑みてなされたものであり、ＰＳＴＮ通話およびネットワーク通話のいずれか一方を利用した通話中に、他方を利用した着信があったとき、スムーズにいずれの相手先とも通信を開始することのできる情報通信端末を提供することを目的とする。
【課題を解決するための手段】
【０００７】
上述した課題を解決するためになされた請求項１にかかる発明は、公衆交換電話網を経由して他の電話機との間で音声信号を送受信する音声通信手段と、ネットワークを経由して他のネットワーク端末との間でネットワーク通話のデータ信号を送受信するデータ通信手段と、前記データ通信手段を用いてインスタントメッセージのデータ信号を送受信するインスタントメッセージ機能と、を備えており、さらにメッセージ送信手段および切替手段を備える情報通信端末である。
【０００８】
この情報通信端末において、切替手段は、前記データ通信手段による前記ネットワーク通話のデータ信号の送受信を実行している状態において、前記音声通信手段に前記音声信号の着信がある場合に、前記データ通信手段に対して前記ネットワーク通話のデータ信号の送受信を停止させると共に、前記音声通信手段に前記音声信号の送受信を開始させる切替動作を行うことを特徴とする。また、メッセージ送信手段は、前記切替手段が前記切替動作を行ったときに、前記ネットワーク通話のデータ信号の送信先に前記インスタントメッセージ機能により前記インスタントメッセージのデータ信号を送信することを特徴とする。
【０００９】
このように構成された情報通信端末であれば、公衆交換電話網（以降、「ＰＳＴＮ」という）の着信に応じてネットワーク通話からＰＳＴＮ通話に切り替えると、自動的にネットワーク通話の相手先にインスタントメッセージ（以降、「ＩＭ」という）を送信する。
よって、ＰＳＴＮによる着信の相手先とは通話を行うことができ、それまでネットワーク通話にて通話していた相手とは、ＩＭを用いて継続して通信を行うことができる。
なお、上述した切替動作は、ＰＳＴＮの着信があったとき、自動で切り替える構成であってもよいし、利用者からの入力指示を待って開始する構成であってもよい。
【００１０】
ところで、上記着信があったとき、ＩＭを送信するか否かは、利用者が任意に決定できるようにすると都合がよい。そのためには、請求項１に記載の構成を、請求項２に記載の情報通信端末のように構成するとよい。
【００１１】
請求項２に記載の発明は、請求項１に記載の情報通信端末において、送信指令を受け付ける送信指令受付手段を備えている。そして、前記メッセージ送信手段は、前記送信指令受付手段により前記送信指令を受け付けている場合には、前記切替手段が前記切替動作を行ったときに、前記インスタントメッセージのデータ信号を前記ネットワーク通話のデータ信号の送信先に送信することを特徴とする。
【００１２】
このように構成された情報通信端末であれば、ネットワーク通話を利用した通話中に、ＰＳＴＮ通話を利用した着信があったとき、利用者の判断に応じてＩＭの送信を行うか否かを決定することができる。
【００１３】
これにより、例えば、先の通話の重要度や、後の着信における発信元相手などを利用者が勘案して、通話とＩＭとを並行して行うか、ＩＭを行わず通話のみを継続するか、などを選択することができるようになる。
【００１４】
なお、上述した送信指令受付手段が送信指令を受け付ける（利用者が入力する）タイミングは特に限定されない。例えば、先の通話が開始される前のタイミング、通話開始後であって後の着信がある前のタイミング、後の着信があったタイミング、などにおいて受け付けることが考えられる。
【００１５】
請求項３に記載の発明は、公衆交換電話網を経由して他の電話機との間で音声信号を送受信する音声通信手段と、ネットワークを経由して他のネットワーク端末との間でネットワーク通話のデータ信号を送受信するデータ通信手段と、前記データ通信手段を用いてインスタントメッセージのデータ信号を送受信するインスタントメッセージ機能と、を備える情報通信端末において、前記ネットワーク通話のデータ信号の送受信を行う相手先情報を複数記憶可能な記憶装置と、前記音声通信手段による前記音声信号の送受信を実行している状態において、前記データ通信手段に前記ネットワーク通話のデータ信号の着信があったときに、当該着信の前記相手先情報を、前記記憶装置に記憶される相手先情報と照合する照合手段と、前記音声通信手段による前記音声信号の送受信を実行している状態において、前記データ通信手段に前記ネットワーク通話のデータ信号の着信があったときに、前記照合手段による照合の結果に応じて、前記ネットワーク通話のデータ信号の送信先に前記インスタントメッセージ機能により前記インスタントメッセージのデータ信号を送信するメッセージ送信手段とを備えることを特徴とする情報通信端末である。
【００１６】
【００１７】
【００１８】
【００１９】
【００２０】
【００２１】
このように構成された情報通信端末では、着信の相手先にＩＭを送信するか否かが、照合手段による照合の結果により決定される。よって、記憶装置に記憶させる相手先情報に応じて、いずれの相手先にＩＭを送信するかを任意に定めることができる。
【００２２】
具体的には、例えば、照合の結果、着信の相手先情報が記憶装置に記憶されている場合に、着信の相手先にＩＭを送信する構成が考えられる。この場合には、ＩＭを送信したい相手先の相手先情報のみ記憶させればよい。
【００２３】
また、上記以外の例として、記憶装置に、相手先情報それぞれに対応するＩＭ実行設定が「ＩＭを行う」「ＩＭを行わない」のいずれかにて記憶されており、照合の結果、着信の相手先情報が記憶装置に記憶されており、その相手先情報に対応するＩＭ実行設定が「ＩＭを行う」である場合に、ＩＭを送信する構成が考えられる。
【００２４】
なお、ここでいう相手先情報とは、相手先端末のＩＰアドレスやネットワークアドレス、または相手先端末のアカウントＩＤなどが該当する。
請求項４に記載の発明は、請求項３に記載の情報通信端末において、送信指令を受け付ける送信指令受付手段を備えている。そして、前記メッセージ送信手段は、前記送信指令受付手段により前記送信指令を受け付けている場合には、前記音声通信手段による前記音声信号の送受信を実行している状態において、前記データ通信手段に前記ネットワーク通話のデータ信号の着信があったときに、前記インスタントメッセージのデータ信号を前記ネットワーク通話のデータ信号の送信先に送信することを特徴とする。
請求項５に記載の発明は、請求項１から請求項４のいずれかに記載の情報通信端末であって、親機および子機からなるものである。
【００２５】
前記親機は、メッセージ情報の入力を受け付ける入力手段と、前記入力手段により入力された前記メッセージ情報を前記子機に送信する親機側送信手段と、を備えることを特徴とする。
【００２６】
また、前記子機は、前記親機側送信手段により送信された前記メッセージ情報を受信する子機側受信手段と、前記子機側受信手段により受信した前記メッセージ情報を、前記インスタントメッセージのデータ信号に変換するメッセージ変換手段と、前記音声通信手段と、前記メッセージ変換手段により変換された前記インスタントメッセージのデータ信号を送受信する前記データ通信手段と、前記メッセージ送信手段と、を備えることを特徴とする。
【００２７】
このように構成された情報通信端末であれば、子機にて通話を行いながら、親機にてＩＭとして送信するメッセージの入力操作を行うことができる。
請求項６に記載の発明は、請求項５に記載の情報通信端末であって、前記子機が、前記データ通信手段により受信した前記インスタントメッセージのデータ信号を、親機送信情報に変換するデータ信号変換手段と、前記データ信号変換手段により変換された前記親機送信情報を前記親機に送信する子機側送信手段と、を備えており、前記親機が、前記子機側送信手段により送信された前記親機送信情報を表示する表示手段を備えることを特徴とする。
【００２８】
このように構成された情報通信端末であれば、親機において、子機が受信したＩＭの表示を行うことができる。よって、子機にて通話を行いながらであっても、ＩＭを容易に確認できるようになる。
【００２９】
請求項７に記載の発明は、請求項６に記載の情報通信端末であって、前記表示手段が、前記入力手段により入力された前記メッセージ情報を表示することを特徴とする。
このように構成された情報通信端末であれば、親機にて作成中のメッセージを確認しながらメッセージを作成することができるため、メッセージの作成が容易になる。
【００３０】
請求項８に記載の発明は、請求項１から請求項７のいずれかに記載の情報通信端末であって、前記音声通信手段が、デジタルコードレス通信を経由して前記他の電話機との前記音声信号の送受信を実現し、前記データ通信手段が、無線ＬＡＮを経由して前記他のネットワーク端末との前記データ信号の送受信を実現することを特徴とする。
【００３１】
このように構成された情報通信端末であれば、ＰＳＴＮ通話およびネットワーク通話を行う際に、その使用位置を限定されず使用することができ都合が良い。
【発明を実施するための最良の形態】
【００３２】
［実施例１］
（１．１）全体構成
本実施例の情報通信端末１は、図１に示すように、子機２および親機３からなり、音声通信機能と、ネットワーク電話機能と、インスタントメッセージ（ＩＭ）機能と、を有している。
【００３３】
音声通信機能とは、公衆交換電話網（ＰＳＴＮ）３０を経由して電話端末３１と音声信号の送受信によるＰＳＴＮ通話を行う機能である。
ネットワーク電話機能とは、いわゆるＩＰ電話やインターネット電話の機能であって、インターネット網４０を経由して音声信号を符号化したデータをパケット通信することにより、インターネット網４０に接続された端末（図１においてはネットワーク電話端末４１、ＩＭ対応ネットワーク電話端末４３）とネットワーク通話を行う機能である。
【００３４】
ＩＭ機能とは、インターネット網４０を介して文字情報を示すデータをパケット通信することにより、インターネット網４０に接続された端末とリアルタイムのメッセージ送受信（ＩＭ通信）を行う機能である。
【００３５】
このＩＭ通信は、ＩＭ通信を制御するＩＭサーバ（図１においてはＩＭサーバ４４）と、ＩＭ通信を実行可能な専用のアプリケーションを備えるＩＭクライアント（図１においては、情報通信端末１、ＩＭ対応端末４２、およびＩＭ対応ネットワーク電話端末４３）によって実現されるものであって、ＩＭクライアントは予め定めた仲間のＩＭクライアントとの間でＩＭ通信を行う。
【００３６】
ＩＭサーバは、少なくともメッセージの受信が可能であるか不可能であるかを示す状態情報を各ＩＭクライアントから随時取得している。ＩＭクライアントは、その状態情報を参照することで、仲間のＩＭクライアントがＩＭ通信可能か否かを知ることができる。
【００３７】
そして、ＩＭサーバは、いずれかのＩＭクライアントからの要求に応じて、そのＩＭクライアントの仲間のＩＭクライアントとのセッションを確立させ、ＩＭクライアント同士のＩＭ通信を実現させる。
【００３８】
このＩＭ通信では、ユーザがメッセージを送信すると、送信されたＩＭクライアント側で即座にそのメッセージが表示されるため、リアルタイムなコミュニケーションが可能となる。
【００３９】
また、子機２と親機３とは、互いにデジタルコードレス通信（デジタルコードレス電話の規格による通信）および無線ＬＡＮによる通信が可能である。
子機２は、ＰＳＴＮ通話やネットワーク通話による通話機能、および、ネットワーク通話やＩＭ通信のためのパケット送受信の機能を有する端末であり、制御部１０、ユーザインターフェース（以下「ユーザＩ／Ｆ」という）１１、無線制御部１６、通信制御部１７、および記憶部１８を備えており、それぞれがバスラインを介して接続されている。
【００４０】
制御部１０は、ＣＰＵ、ＲＯＭ、ＲＡＭ等からなる周知のマイクロコンピュータを中心に構成されており、子機２を構成する各部を統括制御する。また、音声信号と、ネットワーク通話に用いるデータ信号と、の間の符号化／復号化を実行する。
【００４１】
ユーザＩ／Ｆ１１は、各種情報を表示する表示パネル１２、複数の操作キーからなる操作パネル１３、通話に使用されるスピーカ１４およびマイク１５、から構成される。
無線制御部１６は、後述する親機３の無線制御部２６との間で、デジタルコードレス通信にて音声信号を送受信する。
【００４２】
通信制御部１７は、無線ＬＡＮによりベース５０と接続しており、ベース５０を経由して、親機３とのデータの送受信と、インターネット網４０を経由した外部端末とのデータの送受信と、を実行する。
【００４３】
記憶部１８は、不揮発性メモリなどの記憶装置を備えており、後述する各処理を制御部１０に実行させるためのプログラムや、ＰＳＴＮ３０またはインターネット網４０を介して接続される外部端末の相手先情報が登録された電話帳データなどを含む各種データが記憶されている。
【００４４】
親機３は、ＰＳＴＮ通話やネットワーク通話による通話機能、ＩＭの作成機能、および、子機２が受信したＩＭの表示機能を有する端末であり、制御部２０、ユーザＩ／Ｆ２１、無線制御部２６、通信制御部２７、回線制御部２８を有しており、それぞれがバスラインを介して接続している。
【００４５】
制御部２０は、ＣＰＵ、ＲＯＭ、ＲＡＭ等からなる周知のマイクロコンピュータを中心に構成されており、親機３を構成する各部を統括制御する。
ユーザＩ／Ｆ２１は、各種情報を表示する表示パネル２２、複数の操作キーからなる操作パネル２３、通話に使用されるスピーカ２４およびマイク２５、から構成される。なお、上記操作パネル２３における操作キーの入力によりＩＭの文章を作成することができる。また、上記表示パネル２２には、作成された文章、および、子機２から受信したＩＭの文章が表示される。
【００４６】
無線制御部２６は、子機２の無線制御部１６との間で、デジタルコードレス通信にて音声信号を送受信する。
通信制御部２７は、無線ＬＡＮによりベース５０と接続しており、ベース５０を経由して子機２との間でのデータの送受信を実行する。
【００４７】
回線制御部２８は、ＰＳＴＮ３０と接続しており、電話端末３１との間で音声信号を送受信する。
以上が、情報通信端末１の構成である。
【００４８】
情報通信端末１が無線ＬＡＮを介して接続しているインターネット網４０には、ネットワーク電話端末４１、ＩＭ対応端末４２、ＩＭ対応ネットワーク電話端末４３、およびＩＭサーバ４４が接続されている。
【００４９】
ＩＭ対応ネットワーク電話端末４３とは、ネットワーク通話とＩＭ通信とをいずれも実行可能な端末であって、ネットワーク電話の端末にＩＭの機能を搭載したものや、ネットワーク通話およびＩＭ通信を実行可能なアプリケーションを備えるパーソナルコンピュータなどが該当する。
（１．２）各部の連携
（１．２．１）音声通話時の連携
ネットワーク通話を行う場合、相手側のネットワーク電話端末４１等から送信されたパケットは、インターネット網４０を経由して子機２の通信制御部１７において受信され、制御部１０により音声信号に復号化されて、スピーカ１４から音声として出力される。また、子機２のマイク１５から入力された音声を示す音声信号は、制御部１０により符号化され、通信制御部１７により相手側のネットワーク電話端末４１等に送信される。
【００５０】
このような処理により、子機２ではネットワーク通話が可能となる。親機３は、デジタルコードレス通信により子機２と音声信号を送受信することで、子機２を経由したネットワーク通話が可能となる。
【００５１】
また、ＰＳＴＮ通信により通話を行う場合、親機３は、ＰＳＴＮ３０を経由して電話端末３１と音声信号の送受信を行うことで、通話が可能となる。子機２は、デジタルコードレス通信により親機３と音声信号を送受信することで、親機３を経由したＰＳＴＮ通話が可能となる。
（１．２．２）ＩＭ通信時の連携
ＩＭ通信を行う場合、相手側のＩＭ対応端末４２等から送信されたパケットは、インターネット網４０を経由して子機２の通信制御部１７において受信され、制御部１０により親機３に送信するための親機送信情報に変換される。変換された親機送信情報は、通信制御部１７から無線ＬＡＮにより親機３の通信制御部２７に送信される。親機３では、受信した親機送信情報に基づいて、表示パネル２２にＩＭの文章を表示させる。
【００５２】
また、親機３の操作パネル２３により作成されたＩＭの文章を示すデータであるメッセージ情報は、通信制御部２７から無線ＬＡＮにより子機２の通信制御部１７に送信される。その後、通信制御部１７が受信したメッセージ情報は、子機２の制御部１０により、インターネット網４０に送信するためのパケットデータに変換され、通信制御部１７からＩＭ対応端末４２等に送信される。
（１．３）情報通信端末１の状態遷移
以下に、情報通信端末１、電話端末３１およびＩＭ対応ネットワーク電話端末４３における通信の状態遷移を、図２、図３、図４、および図５に基づいて説明する。各図においは、情報通信端末１がＡ、電話端末３１がＢ、ＩＭ対応ネットワーク電話端末４３がＣにそれぞれ該当する。
（１．３．１）
ＡとＢの２者間でＰＳＴＮ通話中、Ｃよりネットワーク通話がかかってきた場合の状態遷移を図２の（１）〜（４）に示す。図２の（１）は、ＡとＢがＰＳＴＮ通話を行っている状態である。
【００５３】
この状態から、図２（２）に示すように、ＣがＡにネットワーク通話にて発信すると、図２（３）に示すように、ＡはＩＭによりＩＭ通信の申請をＣに行う。
その申請に応じてＣがＩＭ通信を行う場合は、図２（４）に示すように、ＣからＡへＩＭが送信される。
【００５４】
その後、Ａが、ＢとＰＳＴＮ通話を行い、ＣとＩＭ通信を行っている状態の詳細を図３に示す。Ａは子機においてＣとＩＭ通信を行う。また、Ａは親機においてＰＳＴＮと通信を行う。
【００５５】
なお、ＩＭの文章作成および受信したＩＭの表示は親機で行う。また、通話に際して利用者が使用する端末は、親機でも子機でも可能である。
その後、ＰＳＴＮ通話のみ終了すると、図４（１）に示すように、ＡとＣによるＩＭ通信が継続する。また、ＩＭ通信のみ終了すると、図４（２）に示すように、ＡとＢによるＰＳＴＮ通話が継続する。
（１．３．２）
ＡとＣの２者間でネットワーク通話中、ＢよりＰＳＴＮ通話がかかってきた場合の状態遷移を、図５の（１）〜（４）に示す。図５の（１）は、ＡとＣがネットワーク通話を行っている状態である。
【００５６】
この状態から、図５（２）に示すように、ＢがＡにＰＳＴＮ通話にて発信すると、Ａはネットワーク通話からＰＳＴＮ通話に切替えた後に、図５（３）に示すように、ＩＭによりＩＭ通信の申請をＣに行う。
【００５７】
その申請に応じてＣがＩＭ通信を行う場合は、図５（４）に示すように、ＣからＡへのＩＭの送信が可能になる。その後の状態遷移は、上述した図３および図４と同様である。（１．４）ＰＳＴＮ通話時のＩＭ通信開始処理
子機２の制御部１０によるＰＳＴＮ通話時のＩＭ通信開始処理の処理手順を、図６に基づいて説明する。本処理は、ＰＳＴＮ通話の開始と同時に起動される。
【００５８】
この本処理では、まず、ネットワーク通話の着信があるか否かを判定する（ステップ１、以降ステップをＳと記載する）。ネットワーク通話の着信がなければ（Ｓ１：Ｎｏ）、再度Ｓ１に戻る。このループにより、ネットワーク通話による着信があるまで、継続して着信の判定を実行する。
【００５９】
一方、ネットワーク通話の着信があれば（Ｓ１：Ｙｅｓ）、子機２の表示パネル１２および親機３の表示パネル２２に、着信がある旨の表示を行う（Ｓ２）。着信信号を示すパケットに発信元の情報（相手先端末のＩＰアドレスやネットワークアドレス、または端末のアカウントＩＤなど）が含まれている場合は、その情報や、その情報と一致する電話帳データの登録名称などを表示する。親機３の表示パネル２２に表示される情報の一例を図７（Ａ）、（Ｂ）に示す。また、このＳ２にて当該着信に「処理済み」とのフラグを立てることで、同一の着信に基づいて再度Ｓ１を実行することを禁止する。
【００６０】
続いて、ＩＭ通信を実行するためのアプリケーションを起動する（Ｓ３）。
続いて、発信元の電話端末が、ＩＭ通信可能であるか否かを判定する（Ｓ４）。ここでは、ＩＭサーバ４４に問い合わせ、発信元の電話端末がＩＭ対応ネットワーク電話端末４３であり、さらに情報通信端末１とのＩＭ通信に必要なアプリケーションが起動しているかをチェックする。
【００６１】
Ｓ４の結果、ＩＭ通信が可能でなければ（Ｓ４：Ｎｏ）、ＩＭ通信のアプリケーションを終了し（Ｓ５）、処理がＳ１に戻る。
一方、Ｓ４の結果、ＩＭ通信が可能であれば（Ｓ４：Ｙｅｓ）、ＩＭを行うという選択がされたか否かを判定する（Ｓ６）。ここでは、子機２の表示パネル１２にＩＭを行うか否かを入力すべき旨のメッセージを表示させ、利用者による操作パネル１３への入力があるまで待機し、その入力に基づいて、ＩＭを行うと選択されたか否かを判定する。
【００６２】
Ｓ６の結果、ＩＭを行うと選択されていなければ（Ｓ６：Ｎｏ）、「通話中」である旨のＩＭを、発信元のＩＭ対応ＩＰ電話に向けて送信し（Ｓ７）、その後、処理がＳ１に戻る。このＳ７において送信されるＩＭの一例を図８（Ａ）に示す。なお、このＳ７においては、なんらのＩＭを送信しないこととしてもよい。
【００６３】
一方、Ｓ６の結果、ＩＭを行うと選択されていれば（Ｓ６：Ｙｅｓ）、「ＰＳＴＮ通話中なのでＩＭにしてほしい」旨のＩＭを、発信元のＩＭ対応ネットワーク電話端末４３に向けて送信する（Ｓ８）。このＳ８において送信されるＩＭの一例を図８（Ｂ）に示す。
【００６４】
続いて、ＩＭ送受信処理を開始する（Ｓ９）。このＩＭ送受信処理は、発信元のＩＭ対応ネットワーク電話端末４３に向けてのＩＭの作成および送信と、上記端末からのＩＭの受信と表示を行う処理であるが、詳細は後述する。このＳ９の後、本処理が終了する。
（１．５）ネットワーク通話時のＩＭ通信開始処理
子機２の制御部１０によるネットワーク通話時のＩＭ通信開始処理の処理手順を、図９に基づいて説明する。本処理は、ネットワーク通話の開始と同時に起動される。
【００６５】
本処理では、まず、ＰＳＴＮ通話の着信があるか否かを判定する（Ｓ２１）。ＰＳＴＮ通信の着信がなければ（Ｓ２１：Ｎｏ）、再度Ｓ２１に戻る。このループにより、ＰＳＴＮ通話による着信があるまで、継続して着信の判定を実行する。
【００６６】
一方、ＰＳＴＮ通話の着信があれば（Ｓ２１：Ｙｅｓ）、子機２の表示パネル１２および親機３の表示パネル２２に、着信がある旨の表示を行う（Ｓ２２）。着信信号に発信元の電話番号情報が含まれている場合は、その電話番号と、その電話番号と一致する電話帳データの登録名称と、を表示する。また、このＳ２２にて当該着信に「処理済み」とのフラグを立てることで、同一の着信に基づいて再度Ｓ２１を実行することを禁止する。
【００６７】
続いて、ＰＳＴＮに切り替えるという選択がされたか否かを判定する（Ｓ２３）。ここでは、子機２の表示パネル１２に、通話をネットワーク通話からＰＳＴＮ通話に切り替えるか否かを入力すべき旨のメッセージを表示させ、利用者による操作パネル１３への入力があるまで待機し、その入力に基づいて、ＰＳＴＮ通話に切り替えると選択されたか否かを判定する。
【００６８】
Ｓ２３の結果、切り替えると選択されていなければ（Ｓ２３：Ｎｏ）、処理がＳ２１に戻る。一方、切り替えると判定されていれば（Ｓ２３：Ｙｅｓ）、通話をＰＳＴＮ通話に切り替え、ＰＳＴＮ通話を開始する（Ｓ２４）。
【００６９】
続いて、ＩＭ通信を実行するためのアプリケーションを起動する（Ｓ２５）。
続いて、Ｓ２４で切替えるまで通話していたネットワーク電話端末が、ＩＭ通信可能であるか否かを判定する（Ｓ２６）。ここでは、上述した図６におけるＳ４と同様の処理を実行する。
【００７０】
Ｓ２６の結果、ＩＭ通信が可能であれば（Ｓ２６：Ｙｅｓ）、「ＰＳＴＮ通話に切り替わったのでＩＭにしてほしい」旨のＩＭを、Ｓ２４で切替えるまで通話していたネットワーク電話端末に向けて送信する（Ｓ２７）。ここでは、上述した図６におけるＳ８と同様の処理を実行する。
【００７１】
続いて、ＩＭ送受信処理を開始し（Ｓ２８）、本処理を終了する。
一方、Ｓ２６の結果、ＩＭ通信が可能でなければ（Ｓ２６：Ｎｏ）、ＩＭ通信のアプリケーションを終了し（Ｓ２９）、続いて、ＰＳＴＮ通話が終了しているか否かを判定する（Ｓ３０）。ＰＳＴＮ通話が終了していれば（Ｓ３０：Ｙｅｓ）、本処理を終了する。一方、ＰＳＴＮ通話が終了していなければ（Ｓ３０：Ｎｏ）、上述した「ＰＳＴＮ通話時のＩＭ通信開始処理」を起動し（Ｓ３１）、本処理を終了する。
（１．６）ＩＭ送受信処理
子機２の制御部１０によるＩＭ送受信処理の処理手順を、図１０に基づいて説明する。このＩＭ送受信処理は、図６のＳ９および図９のＳ２８において起動される。
【００７２】
このＩＭ送受信処理では、まず、ＩＭの送受信状態が継続されているか否かを判定する（Ｓ４１）。ここでは、ＩＭサーバ４４において、情報通信端末１とＩＭ対応ネットワーク電話端末４３とのＩＭのセッションが確立しているか否かを判定する。このセッションは、何れかの端末においてＩＭ通信を終了する旨の操作が行われたときや、ＩＭサーバ４４への接続が切断されて所定時間経過した場合に終了する。
【００７３】
Ｓ４１の結果、ＩＭの送受信状態が継続されていなければ（Ｓ４１：Ｎｏ）、本処理を終了する。なお、ＩＭ対応ネットワーク電話端末４３においてＩＭ通信を終了する旨の操作が行われたときには、親機３の表示パネル２２に対し、ＩＭ通信が終了した旨の情報を表示させる。このときに表示される情報の一例を図１１に示す。
【００７４】
また、Ｓ４１の結果、ＩＭの送受信状態が継続されていれば（Ｓ４１：Ｙｅｓ）、ＩＭ対応ネットワーク電話端末４３からＩＭを新たに受信したか否かを判定する（Ｓ４２）。
Ｓ４２においてＩＭを新たに受信したと判定されなければ（Ｓ４２：Ｎｏ）、処理がＳ４４に移行する。
【００７５】
一方、Ｓ４２においてＩＭを新たに受信したと判定されれば（Ｓ４２：Ｙｅｓ）、その受信したＩＭのパケットを、親機３へのデータ送信に用いるデータである親機送信情報に変換した後、親機３に転送する（Ｓ４３）。
【００７６】
続いて、親機３において新たに作成されたＩＭの文章を示すメッセージ情報を、親機３から受信したか否かを判定する（Ｓ４４）。受信したと判定されなければ（Ｓ４４：Ｎｏ）、処理がＳ４１に戻る。一方、受信したと判定されていれば（Ｓ４４：Ｙｅｓ）、その受信したメッセージ情報をパケットデータに変換した後、ＩＭサーバ４４に送信する（Ｓ４５）。その後、処理がＳ４１に戻る。
（１．７）発明の効果
本実施例の情報通信端末１であれば、電話端末３１とのＰＳＴＮ通話、およびＩＭ対応ネットワーク電話端末４３とのネットワーク通話のいずれかを実行中に、他方から着信があったとき、ＩＭ対応ネットワーク電話端末４３にＩＭを送信して、ＩＭ通信を開始することができる。よって、電話端末３１とは通話を行うことができ、ＩＭ対応ネットワーク電話端末４３とはＩＭによる通信を行うことができるため、スムーズにいずれの相手先とも通信を開始することが可能となる。
【００７７】
また、本実施例の情報通信端末１では、電話端末３１との通話中にＩＭ対応ネットワーク電話端末４３からの着信があった際には、利用者の入力によりＩＭ通信を開始するか否かが決定する。よって、電話端末３１との通話の重要度や、ＩＭ対応ネットワーク電話端末４３の相手先によってＩＭ通信を行うか否か選択できるため都合がよい。
【００７８】
また、本実施例の情報通信端末１では、ＩＭ対応ネットワーク電話端末４３との通話中に電話端末３１からの着信があった場合に、電話端末３１との通話に切り替えると、自動的にＩＭ対応ネットワーク電話端末４３にＩＭを送信する。よって、利用者は電話端末３１との通話に切り替えるだけで、それまで通話していたＩＭ対応ネットワーク電話端末４３とＩＭを用いて継続して通信を行うことができるため、操作パネル１３などを用いてＩＭ通信のアプリケーションを起動させるなどの操作を行う必要がなくなり都合がよい。
【００７９】
また、本実施例の情報通信端末１は、子機２と親機３とから構成されており、互いにデジタルコードレス通信と無線ＬＡＮとにより接続している。子機２は、ＰＳＴＮ通話およびネットワーク通話のいずれも実行できるため、通話のみを行う際には、子機２の携帯性を利用して快適に通話を行うことができる。また、ＩＭ通信を行う場合には、親機３の表示パネル２２や操作パネル２３を用いることができるため、子機２にて通話を行っている状態であっても、親機３にてＩＭの文章の入力、入力した文章の確認、および受信したＩＭの表示を行うことができるため、ＩＭ通信を簡便に行うことができる。
［実施例２］
（２．１）全体構成
実施例２における情報通信端末１は、基本的に実施例１と同じ構成である。しかしながら、制御部１０による処理が一部変更されているため、変更された処理を以下に示す。
（２．２）ＰＳＴＮ通話時のＩＭ通信開始処理
本実施例におけるＰＳＴＮ通話時のＩＭ通信開始処理を、図１２に基づいて説明する。なお、この処理は、大部分が図６に示す実施例１におけるＰＳＴＮ通話時のＩＭ通信開始処理と同様に構成されているので、以下、相違点のみについて説明し、図６の処理と同様に構成された箇所は図６と同じ符号を付して説明を省略する。
【００８０】
本処理のＳ４において、発信元の電話端末のＩＭ通信が可能であれば（Ｓ４：Ｙｅｓ）、着信として受信したデータに含まれる発信元情報を、電話帳に登録されたデータと照合する（Ｓ６１）。
【００８１】
この電話帳は、図１３に示すように、相手先の名称を記憶可能な項目と、相手先情報として相手先端末のＩＰアドレスを記憶可能な項目と、ＩＭ実行設定を記憶可能な項目と、からなるデータ群を複数登録可能なデータテーブルである。なお、相手先情報としては、ネットワークアドレスや、アカウントＩＤを用いてもよい。
【００８２】
Ｓ６１における照合の結果、電話帳に該当するデータが記憶されていなければ（Ｓ６２：Ｎｏ）、つまり、発信元のＩＰアドレスが記憶されているＩＰアドレスの何れとも一致しなければ、処理がＳ６に移行する。
【００８３】
一方、電話帳に該当するデータが記憶されていれば（Ｓ６２：Ｙｅｓ）、そのデータ群に対応するＩＭ実行設定が「ＩＭを行う」と設定されているか否かを判定する（Ｓ６３）。「ＩＭを行う」と設定されていれば（Ｓ６３：Ｙｅｓ）、処理がＳ８に移行する。一方、「ＩＭを行う」と設定されていなければ（Ｓ６３：Ｎｏ）、処理がＳ７に移行する。
（２．３）発明の効果
このように構成された情報通信端末１では、記憶装置のＩＭ実行設定の登録により、着信の相手先にＩＭを送信するか否かを任意に定めることができる。
【００８４】
よって、電話端末３１との通話中にＩＭ対応ネットワーク電話端末４３からの着信があったとき、その相手がＩＭを行いたい相手であれば、予めＩＭ実行設定を「ＩＭを行う」と登録しておくことで、自動でＩＭ通信を申請することができる。また、発信元のＩＭ対応ネットワーク電話端末４３がＩＭ通信を行いたくない相手であれば、予めＩＭ実行設定を「ＩＭを行わない」と登録しておくことで、誤ってＩＭ通信の申請をしてしまうことがなくなる。
［変形例］
以上、本発明の実施例について説明したが、本発明は、上記各実施例に何ら限定されることはなく、本発明の技術的範囲に属する限り種々の形態をとり得ることはいうまでもない。
【００８５】
例えば、ＰＳＴＮ通話時のＩＭ通信開始処理（図６）のＳ６においては、ＩＭを行うか否かの入力を受け付けるタイミングが、Ｓ１にて着信があった以降である構成を例示したが、先の通話が開始される前のタイミングや、先の通話が開始された後であって後の着信がある前のタイミングで入力を受け付ける構成であってもよい。
【００８６】
また、ネットワーク通話時のＩＭ通信開始処理（図９）において、Ｓ２３にて利用者からの入力に従ってＰＳＴＮに切替えるか否かを判定する構成を例示したが、ＰＳＴＮの着信があったときには、利用者からの入力指示を待たずに自動で切り替える構成であってもよい。
【００８７】
また、ネットワーク通話時のＩＭ通信開始処理（図９）において、Ｓ２４にてＰＳＴＮ通話を開始した後は、ＩＭ通信を行うか否かの選択を行うことなく、ＩＭを送信する構成を例示したが、ＩＭを行うか否かの選択を可能に設定してもよい。
【００８８】
また、上記各実施例では、情報通信端末１として、子機２と親機３とからなる構成を例示したが、それ以外の構成であってもよい。例えば、子機２と親機３とに分かれておらず、一体である構成とすることや、子機２が直接ＰＳＴＮ３０と接続しており、親機３はＩＭの入力と表示のみの機能を有する構成とすることが考えられる。
【００８９】
また、上記各実施例では、ＰＳＴＮ３０を経由して情報通信端末１と通信を行う外部端末としては、ＰＳＴＮ通話機能のみを有する電話端末３１を例示した。しかしながら、この電話端末３１がＩＭ通信機能を有している場合には、情報通信端末１と電話端末３１とによりＰＳＴＮ通話とＩＭ通信とを同時に実行することができる。
【００９０】
さらに、電話端末３１がネットワーク電話の機能を有している場合、情報通信端末１と電話端末３１とがＰＳＴＮ通話を行っているときに、電話端末３１から情報通信端末１へネットワーク通話の着信を行うと、情報通信端末１は「ＰＳＴＮ通話時のＩＭ通信開始処理」を実行し、電話端末３１とのＩＭ通信を開始することができる。
【図面の簡単な説明】
【００９１】
【図１】情報通信端末の構成を示すブロック図
【図２】ＰＳＴＮ通話中にネットワーク通話の着信があったときの情報通信端末の状態遷移を示す図
【図３】ＰＳＴＮ通話とＩＭ通信とを行う情報通信端末の状態を示す図
【図４】ＰＳＴＮ通話とＩＭ通信とのいずれかを終了したときの情報通信端末の状態を示す図
【図５】ネットワーク通話中にＰＳＴＮ通話の着信があったときの情報通信端末の状態遷移を示す図
【図６】ＰＳＴＮ通話時のＩＭ通信開始処理の処理手順を示すフローチャート
【図７】表示パネルへの表示形態の一例を示す図
【図８】相手側端末へ送信されるＩＭの一例を示す図
【図９】ネットワーク通話時のＩＭ通信開始処理の処理手順を示すフローチャート
【図１０】ＩＭ送受信処理の処理手順を示すフローチャート
【図１１】ＩＭ通信終了時における表示パネルへの表示形態の一例を示す図
【図１２】実施例２におけるＰＳＴＮ通話時のＩＭ通信開始処理の処理手順を示すフローチャート
【図１３】電話帳のデータ構造を示す図
【符号の説明】
【００９２】
１…情報通信端末、２…子機、３…親機、１０…制御部、１１…ユーザＩ／Ｆ、１２…表示パネル、１３…操作パネル、１４…スピーカ、１５…マイク、１６…無線制御部、１７…通信制御部、１８…記憶部、２０…制御部、２１…ユーザＩ／Ｆ、２２…表示パネル、２３…操作パネル、２４…スピーカ、２５…マイク、２６…無線制御部、２７…通信制御部、２８…回線制御部、３０…ＰＳＴＮ、３１…電話端末、４０…インターネット網、４１…ネットワーク電話端末、４２…ＩＭ対応端末、４３…ＩＭ対応ネットワーク電話端末、４４…ＩＭサーバ、５０…ベース
【図１】
0004569655.tif 000002
【図２】
0004569655.tif 000003
【図３】
0004569655.tif 000004
【図４】
0004569655.tif 000005
【図５】
0004569655.tif 000006
【図６】
0004569655.tif 000007
【図７】
0004569655.tif 000008
【図８】
0004569655.tif 000009
【図９】
0004569655.tif 000010
【図１０】
0004569655.tif 000011
【図１１】
0004569655.tif 000012
【図１２】
0004569655.tif 000013
【図１３】
0004569655.tif 000014